(57)【要約】【課題】画像カラーデータの規格色域が画像出力装置の色域に符合しないことにより引き起こされる画像出力装置表示の特定カラーと理想とする特定カラーの差異発生という欠点を改善、また、画像出力装置が非特定カラーデータを表示する場合、良好のカラーを表示することを特徴とするカラー修正システム及び方法を提案する。【解決手段】  本発明は、カラー修正システム及び方法に関するものであり、本発明の修正システムは、識別ユニット20、修正ユニット30、調整モジュール40を含み」、その修正方法については、まず、識別ユニット20が画像カラーデータを受信、更にその画像カラーデータが特定カラーデータであるか非特定カラーデータであるかを識別する。修正ユニット30は、特定カラーデータを修正して出力表示するものであり、また、調整モジュール40は、画像出力装置のカラー特性に基づいて非特定カラーデータを調整して出力表示、このようにして、表示したい画像カラーデータを修正、画像出力装置が出力表示する画像カラーデータの品質を向上させる。【選択図】        図１
2007282175.tif 000002
【特許請求の範囲】
【請求項１】
カラー修正システムにおいて、
画像カラーデータを受信して画像カラーデータが特定カラーデータか非特定カラーデータであるかを識別する、一つの識別ユニットと、
特定カラーデータを修正する、一つの修正ユニットと、
非特定カラーデータを画像出力装置特性内カラーデータ及び画像出力装置特性外カラーデータに分類する、一つの検査ユニットと、
画像出力装置のカラー特性に基づき、画像出力装置特性内カラーデータを拡張調整する、拡張調整ユニットと、
画像出力装置のカラー特性に基づいて、画像出力装置特性外カラーデータを写像調整する、一つの写像調整ユニットを含むことを特徴とするカラー修正システム。
【請求項２】
請求項１記載のカラー修正システムにおいて、前記修正システムは、広色域の画像出力装置に応用できることを特徴とするカラー修正システム。
【請求項３】
請求項１記載のカラー修正システムにおいて、前記画像出力装置のカラー特性を分析する分析ユニットを更に含むことを特徴とするカラー修正システム。
【請求項４】
請求項３記載のカラー修正システムにおいて、前記分析ユニットは、画像出力装置のカラー特性に基づき、変換パラメータを生じさせて変換ユニットに出力、その変換ユニットは、変換パラメータに基づき画像カラーデータを変換して識別ユニットに出力することを特徴とするカラー修正システム。
【請求項５】
請求項１記載のカラー修正システムにおいて、前記拡張調整ユニットは、画像出力装置特性内カラーデータの明度もしくは彩度を拡大調整することを特徴とするカラー修正システム。
【請求項６】
請求項１記載のカラー修正システムにおいて、前記写像調整ユニットは、画像出力装置特性外カラーデータのカラー特性を画像出力装置のカラー特性のボーダーラインに写像調整することを特徴とするカラー修正システム。
【請求項７】
請求項１記載のカラー修正システムにおいて、前記修正ユニットは、理想とする特定カラーのカラー特性に基づいて特定カラーデータを修正することを特徴とするカラー修正システム。
【請求項８】
請求項１記載のカラー修正システムにおいて、前記画像出力装置のカラー特性は、明度、彩度、色相を含むことを特徴とするカラー修正システム。
【請求項９】
請求項１記載のカラー修正システムにおいて、前記画像出力装置のカラー特性は、画像出力装置の色域であることを特徴とするカラー修正システム。
【請求項１０】
カラー修正システムは、
画像カラーデータを受信して画像カラーデータが特定カラーデータか非特定カラーデータであるかを識別する、一つの識別ユニットと、
特定カラーデータを修正する、一つの修正ユニットと、
画像出力装置のカラー特性に基づいて非特定カラーデータを調整する、一つの調整モジュールを含むことを特徴とするカラー修正システム。
【請求項１１】
請求項１０記載のカラー修正システムにおいて、前記修正システムは、広色域の画像出力装置に応用できることを特徴とするカラー修正システム。
【請求項１２】
請求項１０記載のカラー修正システムにおいて、前記画像出力装置のカラー特性を分析する分析ユニットを更に含むことを特徴とするカラー修正システム。
【請求項１３】
請求項１２記載のカラー修正システムにおいて、前記分析ユニットは、画像出力装置のカラー特性に基づき、変換パラメータを生じさせて変換ユニットに出力、その変換ユニットは、変換パラメータに基づき画像カラーデータを変換して識別ユニットに出力することを特徴とするカラー修正システム。
【請求項１４】
請求項１０記載のカラー修正システムにおいて、前記調整モジュールは、
非特定カラーデータを画像出力装置特性内カラーデータもしくは画像出力装置特性外カラーデータに分類する、一つの検査ユニットと、
画像出力装置のカラー特性に基づき、画像出力装置特性内カラーデータを拡張調整する、一つの拡張調整ユニットと、
画像出力装置のカラー特性に基づいて、画像出力装置特性外カラーデータを写像調整する、一つの写像調整ユニットを含むことを特徴とするカラー修正システム。
【請求項１５】
請求項１４記載のカラー修正システムにおいて、前記拡張調整ユニットは、画像出力装置特性内カラーデータの明度もしくは彩度を拡張調整することを特徴とするカラー修正システム。
【請求項１６】
請求項１４記載のカラー修正システムにおいて、前記写像調整ユニットは、画像出力装置特性外カラーデータのカラー特性を画像出力装置のカラー特性のボーダーラインに写像調整することを特徴とするカラー修正システム。
【請求項１７】
請求項１０記載のカラー修正システムにおいて、前記画像出力装置のカラー特性は画像出力装置の色域であることを特徴とするカラー修正システム。
【請求項１８】
請求項１０記載のカラー修正システムにおいて、前記画像出力装置のカラー特性は、明度、彩度、色相を含むことを特徴とするカラー修正システム。
【請求項１９】
請求項１０記載のカラー修正システムにおいて、前記修正システムは、理想とする特定カラーのカラー特性に基づいて特定カラーデータを修正することを特徴とするカラー修正システム。
【請求項２０】
カラー修正方法は、
画像カラーデータが特定カラーデータであるか非特定カラーデータであるかを識別、
特定カラーデータを修正、
非特定カラーデータを画像出力装置特性内カラーデータ及び画像出力装置特性外カラーデータに分類、
画像出力装置のカラー特性に基づいて画像出力装置特性内カラーデータを拡大調整、並びに、
画像出力装置のカラー特性に基づいて画像出力装置特性外カラーデータを写像調整することを特徴とするカラー修正方法。
【請求項２１】
請求項２０記載のカラー修正方法において、前記修正方法は、広色域の画像出力装置に応用できることを特徴とするカラー修正方法。
【請求項２２】
請求項２０記載のカラー修正方法において、画像出力装置のカラー特性の分析を更に含むことを特徴とするカラー修正方法。
【請求項２３】
請求項２２記載のカラー修正方法において、画像出力装置のカラー特性を分析するステップ後、更に、画像出力装置のカラー特性に基づき、変換パラメータを生じさせ、並びに、変換パラメータに基づき画像カラーデータを変換するステップを含むことを特徴とするカラー修正方法。
【請求項２４】
請求項２０記載のカラー修正方法において、画像出力装置のカラー特性に基づき、画像出力装置特性内カラーデータを拡張調整するステップは、画像出力装置特性内カラーデータの明度もしくは彩度の拡大調整であることを特徴とするカラー修正方法。
【請求項２５】
請求項２０記載のカラー修正方法において、画像出力装置のカラー特性に基づき、画像出力装置特性外カラーデータを写像調整するステップは、画像出力装置特性外カラーデータのカラー特性の、画像出力装置のカラー特性のボーダーラインへの写像調整であることを特徴とするカラー修正方法。
【請求項２６】
請求項２０記載のカラー修正方法において、特定カラーデータ修正は、理想とする特定カラーのカラー特性に基づいて特定カラーデータを修正するステップであることを特徴とするカラー修正方法。
【請求項２７】
請求項２０記載のカラー修正方法において、前記画像出力装置のカラー特性は、明度、彩度、色相を含むことを特徴とするカラー修正方法。
【請求項２８】
請求項２０記載のカラー修正方法において、前記画像出力装置のカラー特性は、画像出力装置の色域であることを特徴とするカラー修正方法。
【請求項２９】
カラー修正方法は、
画像カラーデータが特定カラーデータか非特定カラーデータであるかを識別し、
特定カラーデータを修正し、並びに、
画像出力装置のカラー特性に基づいて非特定カラーデータを調整することを特徴とするカラー修正方法。
【請求項３０】
請求項２９記載のカラー修正方法において、前記修正方法は、広色域の画像出力装置に応用できることを特徴とするカラー修正方法。
【請求項３１】
請求項２９記載のカラー修正方法において、画像出力装置のカラー特性の分析を更に含むことを特徴とするカラー修正方法。
【請求項３２】
請求項３１記載のカラー修正方法において、前記画像出力装置のカラー特性を分析するステップ後、画像出力装置のカラー特性に基づいて変換パラメータを生じさせ、並びに、変換パラメータに基づき画像カラーデータを変換するステップを更に含むことを特徴とするカラー修正方法。
【請求項３３】
請求項２９記載のカラー修正方法において、前記画像出力装置のカラー特性に基づいて非特定カラーデータを調整するステップには、
非特定カラーデータを画像出力装置特性内カラーデータ及び画像出力装置特性外カラーデータに分類し、
画像出力装置のカラー特性に基づき、画像出力装置特性内カラーデータを拡張調整し、並びに、
画像出力装置のカラー特性に基づいて、画像出力装置特性外カラーデータを写像調整するステップを更に含むことを特徴とするカラー修正方法。
【請求項３４】
請求項３３記載のカラー修正方法において、前記画像出力装置のカラー特性に基づいて、画像出力装置特性内カラーデータを拡張調整するステップは、画像出力装置特性内カラーデータの明度もしくは彩度を拡張調整するステップであることを特徴とするカラー修正方法。
【請求項３５】
請求項３３記載のカラー修正方法において、前記画像出力装置のカラー特性に基づいて、画像出力装置特性外カラーデータを写像調整するステップは、画像出力装置特性外カラーデータのカラー特性を画像出力装置のカラー特性のボーダーラインに写像調整するステップであることを特徴とするカラー修正方法。
【請求項３６】
請求項２９記載のカラー修正方法において、前記特定カラーデータの修正は、理想とする特定カラーのカラー特性に基づいて特定カラーデータを修正することを特徴とするカラー修正方法。
【請求項３７】
請求項２９記載のカラー修正方法において、前記特定カラーと画像出力装置のカラー特性は、明度、彩度、色相を含むことを特徴とするカラー修正方法。
【請求項３８】
請求項２９記載のカラー修正方法において、前記画像出力装置のカラー特性は、画像出力装置の色域であることを特徴とするカラー修正方法。
【発明の詳細な説明】
【技術分野】
【０００１】
本発明は、修正システム及び方法に関するものであり、特に、カラー修正システム及び方法を提案する。
【背景技術】
【０００２】
近年来、バックライト技術及びカラーフィルター技術は不断なき発展を遂げ、画像出力装置が表示できるカラーも、徐々に広がってきている。この種の画像出力装置は、広色域画像出力装置と呼ばれ、例えば、広色域液晶ディスプレイであるが、それが表示できる色域は、伝統的な規格の画像出力装置が表現する色域を超過しており、エヌティーエスシー（ＮＴＳＣ：National Television Standards Committee）72％、エスアールジービー（ｓＲＧＢ：standard RGB）、 欧州放送連合(ＥＢＵ：European Broadcast Union)が例に挙げられる。
【０００３】
しかしながら、現在、画像カラーデータの大部分は、伝統規格のｓＲＧＢもしくはＥＢＵによって発生しているが、この画像カラーデータを広色域画像出力装置に出力して表示する場合、この画像カラーデータの規格が完全に広色域画像出力装置のカラー特性に対応していない故、広色域画像出力装置がこの画像カラーデータを表示する場合、表示される画像のカラーと表現したいカラーとの差異が発生し、不自然な画像を表現することになる。特に、空、皮膚の色、もしくは会社のマーク等固定不変のカラーのような特定カラーも不自然になる。また、この画像カラーデータは、色域が比較的小さい規格によって発生する故、広色域画像出力装置は特定カラーでない画像カラーデータを表示する場合、広色域ディスプレイ機能を完全に発揮することはできず、よって、使用者に視覚的満足を提供することはできない。
【発明の開示】
【発明が解決しようとする課題】
【０００４】
本発明はカラー修正システム及び方法を提案する。これは、画像カラーデータの規格色域が画像出力装置の色域に符合しないことにより引き起こされる画像出力装置表示の特定カラーと理想とする特定カラーの差異発生という欠点を改善、また、画像出力装置が非特定カラーデータを表示する場合、良好のカラーを表示するカラー修正システム及び方法である。
【０００５】
本発明の主な目的は、表示したい特定カラーデータを修正して、広色域画像出力装置が特定カラーデータを表示する場合に、理想とする特定カラーとの差異発生を防ぐ、カラー修正システム及び方法を提供することにある。
【０００６】
本発明の次の目的は、表示したい非特定カラーデータを修正して、広色域画像出力装置が非特定カラーデータを表示する場合に、良好なカラーを表現する、カラー修正システム及び方法を提供することにある。
【０００７】
本発明のカラー修正システムは、一つの識別ユニット、一つの修正ユニットと一つの調整モジュールを含み、本発明のカラー修正方法は、識別ユニットによって、表示したい画像カラーデータを受信、更に、画像カラーデータが特定カラーデータか非特定カラーデータであるかを識別する。その後、修正ユニットによって、特定カラーデータを修正、出力表示する。このようにして、画像出力装置が特定カラーデータを表示する場合、理想とする特定カラーとの差異非発生を確実にする。また、調整モジュールが画像出力装置のカラー特性に基づいて、非特定カラーデータを調整、出力表示することにより、画像出力装置が非特定カラーデータを表示する場合、最良の表示効果を上げることができる。
【０００８】
本発明の調整モジュールは、更に、検査ユニット、拡張調整ユニット、写像調整ユニットを含む。その検査ユニットは、非特定カラーデータを画像出力装置特性内カラーデータ及び画像出力装置特性外カラーデータに分類し、並びに、拡張調整ユニットと写像調整ユニットにそれぞれ出力して調整を行うものである。拡張調整ユニットは、画像出力装置のカラー特性に基づいて画像出力装置特性内カラーデータを拡大調整して出力表示するものであり、写像調整ユニットは、やはり画像出力装置のカラー特性に基づいて、画像出力装置特性外カラーデータを写像調整して出力表示するものである。
【課題を解決するための手段】
【０００９】
請求項１の発明は、カラー修正システムにおいて、
画像カラーデータを受信して画像カラーデータが特定カラーデータか非特定カラーデータであるかを識別する、一つの識別ユニットと、
特定カラーデータを修正する、一つの修正ユニットと、
非特定カラーデータを画像出力装置特性内カラーデータ及び画像出力装置特性外カラーデータに分類する、一つの検査ユニットと、
画像出力装置のカラー特性に基づき、画像出力装置特性内カラーデータを拡張調整する、拡張調整ユニットと、
画像出力装置のカラー特性に基づいて、画像出力装置特性外カラーデータを写像調整する、一つの写像調整ユニットを含むことを特徴とするカラー修正システムことを特徴とするカラー修正システムとしている。
請求項２の発明は、請求項１記載のカラー修正システムにおいて、前記修正システムは、広色域の画像出力装置に応用できることを特徴とするカラー修正システムとしている。
請求項３の発明は、請求項１記載のカラー修正システムにおいて、前記画像出力装置のカラー特性を分析する分析ユニットを更に含むことを特徴とするカラー修正システムとしている。
請求項４の発明は、請求項３記載のカラー修正システムにおいて、前記分析ユニットは、画像出力装置のカラー特性に基づき、変換パラメータを生じさせて変換ユニットに出力、その変換ユニットは、変換パラメータに基づき画像カラーデータを変換して識別ユニットに出力することを特徴とするカラー修正システムとしている。
請求項５の発明は、請求項１記載のカラー修正システムにおいて、前記拡張調整ユニットは、画像出力装置特性内カラーデータの明度もしくは彩度を拡大調整することを特徴とするカラー修正システムとしている。
請求項６の発明は、請求項１記載のカラー修正システムにおいて、前記写像調整ユニットは、画像出力装置特性外カラーデータのカラー特性を画像出力装置のカラー特性のボーダーラインに写像調整することを特徴とするカラー修正システムとしている。
請求項７の発明は、請求項１記載のカラー修正システムにおいて、前記修正ユニットは、理想とする特定カラーのカラー特性に基づいて特定カラーデータを修正することを特徴とするカラー修正システムとしている。
請求項８の発明は、請求項１記載のカラー修正システムにおいて、前記画像出力装置のカラー特性は、明度、彩度、色相を含むことを特徴とするカラー修正システムとしている。
請求項９の発明は、請求項１記載のカラー修正システムにおいて、前記画像出力装置のカラー特性は、画像出力装置の色域であることを特徴とするカラー修正システムとしている。
【００１０】
請求項１０の発明は、カラー修正システムは、
画像カラーデータを受信して画像カラーデータが特定カラーデータか非特定カラーデータであるかを識別する、一つの識別ユニットと、
特定カラーデータを修正する、一つの修正ユニットと、
画像出力装置のカラー特性に基づいて非特定カラーデータを調整する、一つの調整モジュールを含むことを特徴とするカラー修正システムとしている。
請求項１１の発明は、請求項１０記載のカラー修正システムにおいて、前記修正システムは、広色域の画像出力装置に応用できることを特徴とするカラー修正システムとしている。
請求項１２の発明は、請求項１０記載のカラー修正システムにおいて、前記画像出力装置のカラー特性を分析する分析ユニットを更に含むことを特徴とするカラー修正システムとしている。
請求項１３の発明は、請求項１２記載のカラー修正システムにおいて、前記分析ユニットは、画像出力装置のカラー特性に基づき、変換パラメータを生じさせて変換ユニットに出力、その変換ユニットは、変換パラメータに基づき画像カラーデータを変換して識別ユニットに出力することを特徴とするカラー修正システムとしている。
請求項１４の発明は、請求項１０記載のカラー修正システムにおいて、前記調整モジュールは、
非特定カラーデータを画像出力装置特性内カラーデータもしくは画像出力装置特性外カラーデータに分類する、一つの検査ユニットと、
画像出力装置のカラー特性に基づき、画像出力装置特性内カラーデータを拡張調整する、一つの拡張調整ユニットと、
画像出力装置のカラー特性に基づいて、画像出力装置特性外カラーデータを写像調整する、一つの写像調整ユニットを含むことを特徴とするカラー修正システムとしている。
請求項１５の発明は、請求項１４記載のカラー修正システムにおいて、前記拡張調整ユニットは、画像出力装置特性内カラーデータの明度もしくは彩度を拡張調整することを特徴とするカラー修正システムとしている。
請求項１６の発明は、請求項１４記載のカラー修正システムにおいて、前記写像調整ユニットは、画像出力装置特性外カラーデータのカラー特性を画像出力装置のカラー特性のボーダーラインに写像調整することを特徴とするカラー修正システムとしている。
請求項１７の発明は、請求項１０記載のカラー修正システムにおいて、前記画像出力装置のカラー特性は画像出力装置の色域であることを特徴とするカラー修正システムとしている。
請求項１８の発明は、請求項１０記載のカラー修正システムにおいて、前記画像出力装置のカラー特性は、明度、彩度、色相を含むことを特徴とするカラー修正システムとしている。
請求項１９の発明は、請求項１０記載のカラー修正システムにおいて、前記修正システムは、理想とする特定カラーのカラー特性に基づいて特定カラーデータを修正することを特徴とするカラー修正システムとしている。
【００１１】
請求項２０の発明は、カラー修正方法は、
画像カラーデータが特定カラーデータであるか非特定カラーデータであるかを識別、
特定カラーデータを修正、
非特定カラーデータを画像出力装置特性内カラーデータ及び画像出力装置特性外カラーデータに分類、
画像出力装置のカラー特性に基づいて画像出力装置特性内カラーデータを拡大調整、並びに、
画像出力装置のカラー特性に基づいて画像出力装置特性外カラーデータを写像調整することを特徴とするカラー修正方法としている。
請求項２１の発明は、請求項２０記載のカラー修正方法において、前記修正方法は、広色域の画像出力装置に応用できることを特徴とするカラー修正方法としている。
請求項２２の発明は、請求項２０記載のカラー修正方法において、画像出力装置のカラー特性の分析を更に含むことを特徴とするカラー修正方法としている。
請求項２３の発明は、請求項２２記載のカラー修正方法において、画像出力装置のカラー特性を分析するステップ後、更に、画像出力装置のカラー特性に基づき、変換パラメータを生じさせ、並びに、変換パラメータに基づき画像カラーデータを変換するステップを含むことを特徴とするカラー修正方法としている。
請求項２４の発明は、請求項２０記載のカラー修正方法において、画像出力装置のカラー特性に基づき、画像出力装置特性内カラーデータを拡張調整するステップは、画像出力装置特性内カラーデータの明度もしくは彩度の拡大調整であることを特徴とするカラー修正方法としている。
請求項２５の発明は、請求項２０記載のカラー修正方法において、画像出力装置のカラー特性に基づき、画像出力装置特性外カラーデータを写像調整するステップは、画像出力装置特性外カラーデータのカラー特性の、画像出力装置のカラー特性のボーダーラインへの写像調整であることを特徴とするカラー修正方法としている。
請求項２６の発明は、請求項２０記載のカラー修正方法において、特定カラーデータ修正は、理想とする特定カラーのカラー特性に基づいて特定カラーデータを修正するステップであることを特徴とするカラー修正方法としている。
請求項２７の発明は、請求項２０記載のカラー修正方法において、前記画像出力装置のカラー特性は、明度、彩度、色相を含むことを特徴とするカラー修正方法としている。
請求項２８の発明は、請求項２０記載のカラー修正方法において、前記画像出力装置のカラー特性は、画像出力装置の色域であることを特徴とするカラー修正方法としている。
【００１２】
請求項２９の発明は、カラー修正方法は、
画像カラーデータが特定カラーデータか非特定カラーデータであるかを識別し、
特定カラーデータを修正し、並びに、
画像出力装置のカラー特性に基づいて非特定カラーデータを調整することを特徴とするカラー修正方法としている。
請求項３０の発明は、請求項２９記載のカラー修正方法において、前記修正方法は、広色域の画像出力装置に応用できることを特徴とするカラー修正方法としている。
請求項３１の発明は、請求項２９記載のカラー修正方法において、画像出力装置のカラー特性の分析を更に含むことを特徴とするカラー修正方法としている。
請求項３２の発明は、請求項３１記載のカラー修正方法において、前記画像出力装置のカラー特性を分析するステップ後、画像出力装置のカラー特性に基づいて変換パラメータを生じさせ、並びに、変換パラメータに基づき画像カラーデータを変換するステップを更に含むことを特徴とするカラー修正方法としている。
請求項３３の発明は、請求項２９記載のカラー修正方法において、前記画像出力装置のカラー特性に基づいて非特定カラーデータを調整するステップには、
非特定カラーデータを画像出力装置特性内カラーデータ及び画像出力装置特性外カラーデータに分類し、
画像出力装置のカラー特性に基づき、画像出力装置特性内カラーデータを拡張調整し、並びに、
画像出力装置のカラー特性に基づいて、画像出力装置特性外カラーデータを写像調整するステップを更に含むことを特徴とするカラー修正方法としている。
請求項３４の発明は、請求項３３記載のカラー修正方法において、前記画像出力装置のカラー特性に基づいて、画像出力装置特性内カラーデータを拡張調整するステップは、画像出力装置特性内カラーデータの明度もしくは彩度を拡張調整するステップであることを特徴とするカラー修正方法としている。
請求項３５の発明は、請求項３３記載のカラー修正方法において、前記画像出力装置のカラー特性に基づいて、画像出力装置特性外カラーデータを写像調整するステップは、画像出力装置特性外カラーデータのカラー特性を画像出力装置のカラー特性のボーダーラインに写像調整するステップであることを特徴とするカラー修正方法としている。
請求項３６の発明は、請求項２９記載のカラー修正方法において、前記特定カラーデータの修正は、理想とする特定カラーのカラー特性に基づいて特定カラーデータを修正することを特徴とするカラー修正方法としている。
請求項３７の発明は、請求項２９記載のカラー修正方法において、前記特定カラーと画像出力装置のカラー特性は、明度、彩度、色相を含むことを特徴とするカラー修正方法としている。
請求項３８の発明は、請求項２９記載のカラー修正方法において、前記画像出力装置のカラー特性は、画像出力装置の色域であることを特徴とするカラー修正方法としている。
【発明の効果】
【００１３】
本発明のカラー修正システム及び方法は、画像カラーデータの規格色域が画像出力装置の色域に符合しないことにより引き起こされる画像出力装置表示の特定カラーと理想とする特定カラーの差異発生という欠点を改善、また、画像出力装置が非特定カラーデータを表示する場合、良好のカラーを表示することを特徴とする。
【発明を実施するための最良の形態】
【００１４】
図1に、本発明の良好実施例のブロック図を示す。それは、分析ユニット10を含み、その分析ユニット10は、画像出力装置のカラー特性を分析するものであり、分析ユニット10の分析方式は、まずテストのカラーデータを画像出力装置に出力して表示する。並びに、測定機器によって画像出力装置が表示するカラーを測定、これにより、画像出力装置のカラー特性、即ち、画像出力装置の色域(Color Gamut) がわかる。色域とは、画像出力装置が表現可能なカラーを指し、それは明度（Lightness）、彩度(Chroma)、色相(Hue)によって示される。画像出力装置のカラー特性を便利に分析する為に、本発明は、複数のテストカラーデータを画像出力装置に出力、並びに、画像出力装置が表示するカラーを測定し、更に、パラメータのように、テストカラーデータと実際表示カラーの関係を得る。よって、ソフトを使ってこのパラメータに基づき画像出力装置のカラー特性を算出する故、測定機器を使って各種カラーを測定する必要がない。
【００１５】
一つの識別ユニット20は、画像出力装置が表示したい画像カラーデータを受信、入力して、画像カラーデータが特定カラーデータか非特定カラーデータであるかを識別する。識別ユニット20の識別方式は、予め設定したカラー特性に基づき、画像カラーデータが特定カラーデータであるか非特定カラーデータであるかを識別、識別ユニット20が予め設定するカラー特性は特定カラーに対応するものである。もし識別ユニット20が画像カラーデータが特定カラーデータであると識別すると、修正ユニット30に送信、もし非特定カラーデータであるなら調整モジュール40に送信する。前記カラー特性は、明度（Lightness）、彩度(Chroma)、色相(Hue)とする。
【００１６】
続いて、前記修正ユニット30は、特定カラーデータを修正して出力ユニット50に出力表示するものであり、これにより、出力ユニット50が修正後の特定カラーデータを表示する場合、表示する特定カラーと理想とする特定カラーの差異発生を防ぐことができる。特定カラーデータを修正する方法であるが、画像出力装置に基づいて、未修正特定カラーデータが表示する特定カラーと理想とする特定カラー間の差異を表示する。また、修正値を修正ユニット30内に予め設定、異なる特定カラーデータは異なる修正値に対応しており、修正ユニット30は修正値に基づいて特定カラーデータを修正する。前述したとおり、修正ユニット30は、理想とする特定カラーのカラー特性に基づいて、特定カラーデータを修正、画像出力装置が特定カラーを表示する場合、理想とする特定カラーとの差異発生を生じさせることがない。
【００１７】
調整モジュール40は、非特定カラーデータ調整をするものであり、画像出力装置が非特定カラーデータを表示した場合、良好のカラーを表示することができる。調整モジュール40は検査ユニット42、拡張調整ユニット44、写像調整ユニット46を含み、一般的に言えば現在、画像カラーデータに基づく規格のカラー特性の大部分は、広色域画像出力装置のカラー特性より小さいものであり、本発明は拡張調整ユニット44によって、この画像出力特性内カラーデータを拡大修正、画像出力装置の表示する非特定カラーの鮮明度をアップする。しかしながら、現在まだ一部の画像カラーデータのカラー特性は画像出力装置のカラー特性を上回っており、画像出力装置特性外カラーデータに対して、本発明は写像調整ユニット46によって画像出力装置特性外カラーデータを写像調整し、画像出力装置に良好なカラーを表現させる。
【００１８】
前述説明でわかるように、識別ユニット20は、画像カラーデータが非特定カラーデータであると識別した場合、まず非特定カラーデータを検査ユニット42に伝送し、非特定カラーデータを画像出力装置特性内カラーデータ及び画像出力装置特性外カラーデータに分類する。検査ユニット42は、分析ユニット10から得た画像出力装置のカラー特性に基づき非特定カラーデータを分類する。もし非特定カラーデータが画像出力装置のカラー特性の範囲内であるなら、画像出力装置特性内カラーデータとなり、同様に、非特定カラーデータが画像出力装置のカラー特性の範囲外であるなら、画像出力装置特性外カラーデータとなる。画像出力装置特性内カラーデータと画像出力装置特性外カラーデータはそれぞれ拡張調整ユニット44と写像調整ユニット46に送信され、調整修正が行われる。
【００１９】
図２に示すとおり、本発明は、画像カラーテンプレート(Image Color Template)60を複数の区域に分割しており、この画像カラーテンプレート60は色相ページ(Huc Page)のカラー特性であり、本発明が基にする画像カラーテンプレート60は、現在、画像カラーデータが常用する規格を生じさせるカラーテンプレートである。前述の各区域は拡張パラメータにそれぞれ対応しており、拡張パラメータは、画像出力装置カラーテンプレート70に基づいて決定され、その画像出力装置カラーテンプレート70は、画像出力装置のカラー特性である。拡張調整ユニット44は、画像出力装置特性内カラーデータが存在する区域を識別した後、画像出力装置特性内カラーデータが存在する区域に対応する拡張パラメータに基づき、画像出力装置特性内カラーデータを拡大調整し、出力ユニット50に送信表示する。前述の画像出力装置特性内カラーデータを拡張調整するとは、明度と彩度を拡大することである。
【００２０】
本発明の拡張調整方式は、同様であり、画像カラーテンプレート60を画像出力装置カラーテンプレート70に拡張調整、このようにして、画像出力装置特性内カラーデータを表示する場合のカラー鮮明度をアップする。本発明は、画像カラーテンプレート60の各区域の範囲と対応する拡張パラメータを予め拡張調整ユニット44に設定し、画像出力装置特性内カラーデータに拡大調整を行う。本発明の拡張調整方法の一良好実施例は、画像カラーテンプレート60を第一区域62、第二区域64及び第三区域66に分割し、この三つの区域62、64、66はそれぞれ、第一拡張パラメータＥ１、第二拡張パラメータＥ２、第三拡張パラメータＥ３に対応する。本発明の拡張パラメータＥ１、Ｅ２、Ｅ３の良好実施例は、Ｅ１＜Ｅ２＜Ｅ３である。
【００２１】
図３に示すとおり、本発明の画像出力装置特性外カラーデータを写像調整する方法は、最短距離で第一カラー80を画像出力装置カラーテンプレート70のボーダーライン上に写像し、同様に、第二カラー82及び第三カラー84を画像出力装置カラーテンプレート70のボーダーライン上に写像する。前述方法と同様、第四カラー86、第五カラー87及び第六カラー88は、それぞれ画像出力装置カラーテンプレート70のボーダーライン上に写像する。総括すると、本発明の写像調整方法は、画像出力装置特性外カラーデータを画像出力装置のカラー特性のボーダーラインに写像、即ち、画像出力装置特性外カラーデータのカラー特性を画像出力装置のカラー特性に写像する。これにより、出力ユニット50が表示するカラーは表示したいカラーに近くなる。また、本発明の修正システムは、液晶テレビ、プラズマテレビ、映写機、カラープリンター、その他画像出力装置等に応用可能である。
【００２２】
図４に、本発明の一良好実施例のフローチャートを示す。図に示すとおり、本発明のカラー修正方法は、まず、ステップＳ１０を実行し、画像出力装置のカラー特性を分析、その後、ステップＳ１１を実行して、画像カラーデータが特定カラーデータであるか非特定カラーデータであるかを識別、その後、ステップＳ１２を実行して特定カラーデータを修正、このステップにおいて、特定カラーデータに対応する理想特定カラーのカラー特性に基づき特定カラーデータを修正して、特定カラーの持っている自然なカラー特性を保たせ、並びに、修正後の特定カラーデータを出力ユニット50に送信して出力表示する。
【００２３】
更に、ステップＳ１３を実行して、非特定カラーデータを画像出力装置特性内カラーデータ及び画像出力装置特性外カラーデータに分類、その後、ステップＳ１４を実行して、画像出力装置のカラー特性に基づいて画像出力装置特性内カラーデータを拡大調整、並びに、出力ユニット50に出力して出力表示する。このように、画像出力装置が表現するカラーは益々鮮明に、且つアクティビティになり、その後、ステップＳ１５を実行して、画像出力装置のカラー特性に基づいて画像出力装置特性外カラーデータを写像調整、並びに、出力ユニット50に出力して出力表示、このステップにおいて、画像出力装置特性外カラーデータを画像出力装置のカラー特性のボーダーラインに写像、即ち、画像出力装置特性外カラーデータのカラー特性を画像出力装置のカラー特性のボーダーラインに写像、よって、画像出力装置が表示するカラーは表示したいカラーに近づくものとなる。
【００２４】
図５に、本発明のもう一つの良好実施例のブロック図を示す。一般には画像カラーデータのフォーマットがアールジービー（ＲＧＢ）空間である故、本発明は画像データを便利に修正するために明度、彩度、色相空間を採用、よって、この実施例は、修正システムの各ユニットのカラーデータ処理を便利にする為に、変換ユニット90を増設した。その変換ユニット90は、ＲＧＢ空間フォーマットもしくはその他フォーマットの画像カラーデータを、明度、彩度、色相空間フォーマットに変換するものである。本発明の画像カラーデータ変換方式は、分析ユニット10において、まず画像出力装置のカラー特性に基づき変換パラメータを発生させ、並びに、変換ユニット90に出力、変換ユニット90は、変換パラメータに基づき画像カラーデータを変換して識別ユニット20に出力し、識別を行う。
【００２５】
図６に本発明の別の良好実施例のフローチャートを示す。この実施例と図４実施例との相異点は、ステップＳ２０に示すとおり、分析ユニット10は画像出力装置のカラー特性を分析する以外、更に画像出力装置のカラー特性に基づいて変換パラメータを発生、その後、変換ユニット90はステップＳ２１を実行し、変換パラメータに基づいてカラーデータを変換して、識別ユニット20に送信し識別を行う点にある。その他のステップＳ２２〜Ｓ２６は、図４実施例のステップＳ１１〜Ｓ１５と同様である。
【００２６】
総括すると、本発明の修正システムは主に、識別ユニット20、修正ユニット30、調整モジュール40を含むものであり、本発明の修正方法は、まず、識別ユニット20によって、表示したい画像カラーデータが特定カラーデータであるか非特定カラーデータであるかを識別した後、修正ユニット30によって、特定カラーデータを修正、また、非特定カラーデータは、調整モジュール40によって画像出力装置のカラー特性に基づいて調整を行い、このようにして、表示したい画像カラーデータを修正、画像出力装置の表示品質を向上させる。また、本発明の修正システムは、液晶テレビ、プラズマテレビ、もしくはその他画像出力装置等に応用可能である。
【図面の簡単な説明】
【００２７】
【図１】本発明の良好実施例のブロック図である。
【図２】本発明画像出力装置特性内カラーデータの拡張調整表示図である。
【図３】本発明の画像出力装置特性外カラーデータ写像調整表示図である。
【図４】本発明の良好実施例のフローチャートである。
【図５】本発明の第二良好実施例のブロック図である。
【図６】本発明の第二良好実施例のフローチャートである。
【符号の説明】
【００２８】
１０  分析ユニット
２０  識別ユニット
３０  修正ユニット
４０  調整モジュール
４２  検査ユニット
４４  拡張調整ユニット
４６  写像調整ユニット
５０  変換ユニット
６０  画像カラーテンプレート
６２  第一区域
６４  第二区域
６６  第三区域
７０  画像出力装置カラーテンプレート
８０  第一カラー
８２  第二カラー
８４  第三カラー
８６  第四カラー
８７  第五カラー
８８  第六カラー
９０  変換ユニット
【図１】
2007282175.tif 000003
【図２】
2007282175.tif 000004
【図３】
2007282175.tif 000005
【図４】
2007282175.tif 000006
【図５】
2007282175.tif 000007
【図６】
2007282175.tif 000008